(57)【要約】【課題】  広い視野角、良好な均一度、及び高解像度を具現できるレンチキュラーレンズシーツとその製造方法を提供する。【解決手段】  本発明に係るレンチキュラーレンズの製造方法は、少なくとも１つの光源からの入射光を水平方向に発散させる複数の入射側レンチキュラーレンズを一側面に備えたレンチキュラーレンズシーツの本体を用意するステップと、レンチキュラーレンズシーツの一側面でない他側面の上に感光性物質層を積層するステップと、感光性物質層の一部に光を走査して露光させるステップと、露光された部分を除去することで、光を透過させる部分と外光の反射を防止する部分とから構成された反射防止層を形成するステップとを含む。【選択図】      図３
2006133760.tif 000002
【特許請求の範囲】
【請求項１】
少なくとも１つの光源からの入射光を発散させる複数の入射側レンチキュラーレンズを一側面に備えたレンチキュラーレンズシーツの本体を用意するステップと、
前記レンズシーツの前記一側面でない他側面の上に感光性物質層を積層するステップと、
前記感光性物質層の一部に光を走査して露光させるステップと、
前記露光された部分を除去することにより、光を透過させる部分と外光の反射を防止する部分を含む反射防止層を形成するステップと、を含むことを特徴とするレンチキュラーレンズシーツの製造方法。
【請求項２】
前記複数の入射側レンチキュラーレンズは前記入射光を水平方向に発散させ、
前記レンズシーツは前記入射側レンチキュラーレンズから発散される光のカラーシフトを減らす複数の出射側レンチキュラーレンズを前記他側面の上にさらに備え、
前記感光性物質層は前記出射側レンチキュラーレンズの上に積層され、
前記露光ステップは前記入射側レンチキュラーレンズを介して光を走査することを特徴とする請求項１に記載のレンチキュラーレンズシーツの製造方法。
【請求項３】
前記露光ステップにおける前記走査用光は、前記光源と実質的に同一コンバージェンス角度で配置されることを特徴とする請求項２に記載のレンチキュラーレンズシーツの製造方法。
【請求項４】
前記走査用光はレッドＣＲＴ、グリーンＣＲＴ、及びブルーＣＲＴから構成されることを特徴とする請求項３に記載のレンチキュラーレンズシーツの製造方法。
【請求項５】
レンチキュラーレンズシーツの製造方法において、
少なくとも１つの光源からの入射光を発散させる複数の入射側レンチキュラーレンズを一側面に備えたレンチキュラーレンズシーツの本体を用意するステップと、
前記レンチキュラーレンズシーツの他側面の上に感光性物質層を積層するステップと、
前記感光性物質層を光に露光させるステップと、
反射防止層を形成するため前記露光された部分を除去するステップと、を含むことを特徴とするレンチキュラーレンズシーツの製造方法。
【請求項６】
前記反射防止層は光透過部分と外光反射防止部分を含むことを特徴とする請求項５に記載のレンチキュラーレンズシーツの製造方法。
【請求項７】
前記複数の入射側レンチキュラーレンズは前記入射光を水平方向に発散させ、前記レンチキュラーレンズシーツは前記入射側レンチキュラーレンズから発散される光のカラーシフトを減らす複数の出射側レンチキュラーレンズを前記他側面にさらに含み、
前記感光性物質層は前記出射側レンチキュラーレンズシーツの上に積層され、前記露光ステップは前記入射側レンチキュラーレンズを介して光を走査することを特徴とする請求項５に記載のレンチキュラーレンズシーツの製造方法。
【請求項８】
前記露光ステップにおける前記走査用光は、前記光源と実質的に同一コンバージェンス角度で配置されることを特徴とする請求項７に記載のレンチキュラーレンズシーツの製造方法。
【請求項９】
前記走査用光は、レッドＣＲＴ、グリーンＣＲＴ、及びブルーＣＲＴから構成されることを特徴とする請求項８に記載のレンチキュラーレンズシーツの製造方法。
【請求項１０】
レンチキュラーレンズシーツにおいて、
少なくとも１つの光源からの入射光を発散させる複数の入射側レンチキュラーレンズを一側面に備えたレンチキュラーレンズシーツと、
一部が光に露光されるよう前記レンチキュラーレンズシーツの他側面の上に積層される感光性物質層と、を含み、
前記露光された部分は、光を透過させる部分と外光の反射を防止する部分とを含む反射防止層を形成するため除去されることを特徴とするレンチキュラーレンズシーツ。
【請求項１１】
前記複数の入射側レンチキュラーレンズは前記入射光を水平方向に発散させ、
前記レンチキュラーレンズシーツは前記入射側レンチキュラーレンズから発散される光のカラーシフトを減らす複数の出射側レンチキュラーレンズを前記他側面にさらに含み、
前記感光性物質層は前記出射側レンチキュラーレンズシーツの上に積層され、
前記露光ステップは前記入射側レンチキュラーレンズを介して光を走査することを特徴とする請求項１０に記載のレンチキュラーレンズシーツ。
【請求項１２】
前記露光ステップにおける前記走査用光は、前記光源と実質的に同一コンバージェンス角度で配置されることを特徴とする請求項１１に記載のレンチキュラーレンズシーツ。
【請求項１３】
前記走査用光は、レッドＣＲＴ、グリーンＣＲＴ、及びブルーＣＲＴから構成されることを特徴とする請求項１２に記載のレンチキュラーレンズシーツ。
【発明の詳細な説明】
【技術分野】
【０００１】
本発明は、レンチキュラーレンズシーツとその製造方法に係り、特に、広い視野角、良好な均一度、及び高解像度を有するレンチキュラーレンズシーツとその製造方法に関する。
【背景技術】
【０００２】
背面から映像を投影させ、前面側から観察する映像投射装置の一つとして、ＣＲＴ（陰極線管）映像投射装置が知られている。ＣＲＴ映像投射装置は、通常、相異なる色を発生させる３つのＣＲＴ光源、例えば、グリーン（Ｇ）ＣＲＴ、ブルー（Ｂ）ＣＲＴ、レッド（Ｒ）ＣＲＴでスクリーンに映像を投射する装置である。
【０００３】
図１Ａは従来のＣＲＴ映像投射装置に使用されるスクリーン１００を示す図である。同図に示すように、従来のスクリーン１００は、ＣＲＴ光源（図示せず）から発散される光を集光し平行光として集束させるフレネルレンズシーツ（レンズ板）１０１と、フレネルレンズシーツ１０１から入射する平行光を集光して例えば、ＸＺ平面上で発散させ水平視野角を広げるレンチキュラーレンズシーツ（レンズ板）１０３と、スクリーンを保護する保護シーツ１０５とを含む。
【０００４】
レンチキュラーレンズシーツ１０３は、入射光を集光し発散させる複数の入射側レンチキュラーレンズ１０３ａ、入射光のカラーシフトを減らす複数の出射側レンチキュラーレンズ１０３ｂ、光源でない外部から流入される不要な光を吸収して映像の鮮明度を高める反射防止層１０３ｃ及びレンチキュラーレンズ１０３ａ、１０３ｂの形成されるレンチキュラー基材（図示せず）から構成される。
【０００５】
以下、従来の反射防止層１０３ｃを形成する方法を日本特許公開公報平９−１２０１０２号に基づいて説明する。該日本特許公開公報に開示された全体の内容は本願明細書の一部として結合される。この方法において、レンチキュラーレンズから光が出射する側面に電離放射線硬化形樹脂層を形成し、紫外線を用いて電離放射線硬化形樹脂層を露光させて硬化させる。また、硬化された部分に黒色インク層を付着させて、外光からの光の反射を遮断する遮光性層を形成させる。
【０００６】
しかしながら、このような従来の方法は２つの側面から問題点がある。
【０００７】
第一は、レンチキュラーレンズから出射される光が反射防止層で断続される恐れがあるので、観察者が視聴できる視野角と白色映像を投射した時にスクリーン上で中央と角での明るさの違いをパーセント（％）に表した白均一度が劣化する。
【０００８】
反射防止層から光が断続される現象を図１Ｂに基づいて説明する。図１Ｂは、従来の方法によって形成された反射防止層を備えたレンチキュラーレンズシーツを通過する光の経路を示す図である。
【０００９】
フレネルレンズ１０３ａを介して出射される平行光（光１、光２、光３）は入射側レンチキュラーレンズ１０３ａを通過しながら、図１Ｂに示すように、集光され出射側レンチキュラーレンズ１０３ｂを通過する。ところで、従来の方法によって形成された反射防止層１０３ｃは精密度の劣る黒色インク層を付着させる工程を経て形成されるので、反射防止層１０３ｃの一部が光１、２、３の出射される領域の方に拡張される。これにより、その拡張された部分（例えば、反射防止層の角部）に出射側レンチキュラーレンズ１０３ｂから出謝される光、例えば、光３ｂや光１ａのような出射側レンズの外郭を通過する光が、ぶつかって遮断される恐れがある。
【００１０】
第二は、高解像度を備えたレンチキュラーレンズを製造することは困難である。スクリーンの好ましい特性である高解像度は、レンチキュラーレンズシーツの厚さとレンチキュラーレンズ間の距離（例えば、ピッチ（ｃ））とは密接な関係がある。すなわち、厚さが薄いほど、ピッチが短いほど高解像度の具現が可能となる。
【００１１】
一般に、レンチキュラーレンズの厚さはレンチキュラーレンズのピッチ（ｃ）と共に調節されるべきである。例えば、レンチキュラーレンズのピッチを減らさず、レンチキュラーレンズの厚さのみを薄くすることは困難である。したがって、レンチキュラーレンズの厚さを減らすためにはレンチキュラーレンズのピッチも共に減らすべきである。
【００１２】
レンチキュラーレンズのピッチを減らすための一方法として、出射側レンチキュラーレンズを被っている反射防止層の距離（ｄ）を減らすことがある。
【００１３】
しかし、従来のように、黒色インク層を付着させて反射防止層を形成する技術において、反射防止層の間隔（ａ）と反射防止層の厚さを減らすことは困難である。
【００１４】
よって、広い視野角、良好な均一度、及び高解像度を有する改善されたレンチキュラーレンズシーツが必要である。
【特許文献１】日本特許公開公報平９−１２０１０２号
【特許文献２】韓国公開特許公報（Ａ）１０−１９９９−０５１３１号
【発明の開示】
【発明が解決しようとする課題】
【００１５】
本発明は、前記のような問題点を鑑みてなされたものであって、その目的は、広い視野角、良好な均一度、及び高解像度を具現できるレンチキュラーレンズシーツとその製造方法を提供することにある。
【課題を解決するための手段】
【００１６】
前記目的を達成するための本発明の一実施形態によるレンチキュラーレンズシーツは、少なくとも１つの光源からの入射光を発散させる複数の入射側レンチキュラーレンズを一側面に備えたレンチキュラーレンズシーツの本体を用意するステップと、レンズシーツの前記一側面でない他側面の上に感光性物質層を積層するステップと、感光性物質層の一部に光を走査して露光させるステップと、露光された部分を除去することにより、光を透過させる部分と外光の反射を防止する部分を含む反射防止層を形成するステップとを含む。
【００１７】
前述した複数の入射側レンチキュラーレンズは、前記入射光を水平方向に発散させ、前述したレンチキュラーレンズシーツは、入射側レンチキュラーレンズから発散される光のカラーシフトを減らす複数の出射側レンチキュラーレンズを他側面の上にさらに備え、感光性物質層は出射側レンチキュラーレンズの上に積層され、露光ステップは入射側レンチキュラーレンズを介して光を走査できる。
【００１８】
また、前述した露光ステップにおける走査用光は、光源と同一コンバージェンス角度で配置されることができる。
【００１９】
一方、前述した走査用光は、レッドＣＲＴ、グリーンＣＲＴ、ブルーＣＲＴを含むことができる。
【００２０】
また、本発明の一実施形態によるレンチキュラーレンズシーツの製造方法は、少なくとも１つの光源からの入射光を発散させる複数の入射側レンチキュラーレンズを一側面に備えたレンチキュラーレンズシーツの本体を用意するステップと、前記レンチキュラーレンズシーツの他側面の上に感光性物質層を積層するステップと、前記感光性物質層を光に露光させるステップと、反射防止層を形成するために前記露光された部分を除去するステップとを含む。
【００２１】
また、本発明の一実施形態によるレンチキュラーレンズシーツは、少なくとも１つの光源からの入射光を発散させる複数の入射側レンチキュラーレンズを一側面に備えたレンチキュラーレンズシーツと、一部が光に露光されるよう前記レンチキュラーレンズシーツの他側面の上に積層される感光性物質層とを含み、前記露光された部分は、光を透過させる部分と外光の反射を防止する部分を含む反射防止層を形成するために除去される。
【発明の効果】
【００２２】
以上、前述したように、本発明の例示的実施形態によって製造されたレンチキュラーレンズシーツは発散される光が反射防止層から断続されないので、広い視野角と良好な均一度を提供することができ、レンチキュラーレンズのピッチを減らすことができるので、高解像度の具現化が図れる。
【発明を実施するための最良の形態】
【００２３】
以下、添付した図面に基づいて本発明に係るレンチキュラーレンズシーツ及びその製造方法の好適な実施形態を詳説する。
（実施形態）
図２Ａ〜図２Ｄは本発明の一実施形態によるレンチキュラーレンズシーツの製造過程を示す例示図であり、図３はレンチキュラーレンズシーツの製造過程を示すフローチャートである。以下、図２と図３に基づいて説明する。
【００２４】
図２Ａに示すように、複数の入射側レンチキュラーレンズ２０３ａ、出射側レンチキュラーレンズ２０３ｂ、レンチキュラー基材２０３ｄからなるレンチキュラー本体をまず用意する。
【００２５】
レンチキュラー本体は、好ましくは、用意したレンチキュラー基材２０３ｄの一側面に入射側レンチキュラーレンズ２０３ａを成型（Ｓ３０３）して、他側面には出射側レンチキュラーレンズ２０３ｂを成型（Ｓ３０５）することで、製造できる。このように、入射側レンチキュラーレンズ２０３ａと出射側レンチキュラーレンズ２０３ｂ両方を備えたレンチキュラーレンズシーツを本発明の属する技術分野ではダブルレンチキュラーレンズシーツとも言える。
【００２６】
入射側レンチキュラーレンズ２０３ａと出射側レンチキュラーレンズ２０３ｂは紫外線によって硬化される透明な液状紫外線の硬化形樹脂を使用して製造できる。
【００２７】
レンチキュラー基材２０３ｄとしては、透明な液状紫外線の硬化形樹脂に付着しやすい透明なフィルム（例えば、ポリメチルメタクリレート）や、付着しやすく表面処理された任意の適切な透明フィルムが使用される。
【００２８】
ダブルレンチキュラーレンズシーツを製造する一方法が、韓国公開特許公報（Ａ）１０−１９９９−０５１３１号（出願日：１９９７．６．３０）に記述されている。該公開特許公報は本願明細書の一部として結合される。
【００２９】
図２Ｂは感光層２０３ｃが出射側レンチキュラーレンズ２０３ｂに積層されたレンチキュラレンズーシーツを示す。
【００３０】
感光層２０３ｃは、好ましくは、光を受ければその化学的性質が変化する感光性材料（フォトレジスト材）で構成される。
【００３１】
図２Ａのように用意したレンチキュラーレンズシーツにフォトリソグラフィ工程を利用して感光性材料を積層する（Ｓ３０７）。例えば、ＰＥＴ、ＰＣのような光透過性の良好なフィルムを出射側レンチキュラーレンズ２０３ｂに付着してそのフィルムの上にフォトレジストを蒸着する。
【００３２】
図２Ｃは反射防止層を形成するため光を走査する過程を示す。
【００３３】
本実施形態では、ＵＶ光を感光層２０３ｃに走査することによって、反射防止層が形成される。光に走査された感光層区間（例えば、区間‘ｄ’）は除去（エッチング）されるようにその化学的性質が変化する。例えば、ＵＶ光が走査された感光層区間は粘着性を失う。
【００３４】
好ましくは、ＵＶ光はレンチキュラー入力側レンズ２０３ａを介して感光層２０３ｃを走査できる。
【００３５】
より好ましくは、ＵＶ光は複数の光源から同時若しくは順次に発生でき、例えば、レッドＣＲＴ、ブルーＣＲＴ、グリーンＣＲＴから同時若しくは順次に発生できる。一実施形態において、まず、グリーンＣＲＴを用いて感光層２０３ｃを走査した後（Ｓ３０９）、ブルーＣＲＴとレッドＣＲＴを用いて感光層２０３ｃを同時に走査する（Ｓ３１１）。
【００３６】
感光層２０３ｃを露光するためにレッドＣＲＴ、ブルーＣＲＴ、グリーンＣＲＴ（以下、‘露光用ＣＲＴ’と称する。）を用いる場合、露光用ＣＲＴの走査角度と、映像をスクリーンに投影させるために用いられるレッド、ブルー、グリーンＣＲＴのコンバージェンス角度とは実質的に同一であることが好ましい。
【００３７】
コンバージェンス角度は、走査される光と出射側レンズ（または、入射側レンズ）の中心軸とがなす角度である。
【００３８】
このように露光用光源の走査角度と映像を投影させるための光源の走査角度とは実質的に同一であるため、以後、映像を投影させるための光が通る経路に存在する反射防止層を予め除去できる（Ｓ３１３）。したがって、出射側レンズを通過した映像用光が反射防止層によって断続されず、連続的に発散され広い視野角と良好な均一度を提供することができる。
【００３９】
従来の技術において、レンチキュラーレンズから光が出射する側面に黒色インク層を付着させて反射防止層を形成するので、反射防止層の厚さを減らすのに技術的限界に早く達する。従来の技術によれば、例えば、レンチキュラーレンズのピッチ間の距離が５２０μｍに上る。
【００４０】
しかしながら、本発明の例示的実施形態においては、光を走査して反射防止層を形成することで、従来の技術より極めて精密な間隔の反射防止層を形成することができる。したがって、ファインピッチ（ｆｉｎｅ  ｐｉｔｃｈ）のレンチキュラーレンズを製造できる。本発明の例示的実施形態によれば、例えば、ピッチ間の距離が２００μｍまで精密になる。
【００４１】
図２Ｄは露光された部分が除去されてから、完成したレンチキュラーレンズシーツを示す。
【００４２】
図２Ｃにおいて、露光された感光層部分（ｄ）はフォトリソグラフィ工程と同様に、化合物によって除去（エッチング）され、露光されていない部分のみ出射側レンズ部分に付着され残される。
【００４３】
前記除去された部分は、以後、映像光が通過する部分になり、除去されていない部分は、以後、外光の反射を防止する部分になる。
【００４４】
図２及び図３に示す実施形態では、ダブルレンチキュラーレンズシーツを対象にしたが、ダブルレンチキュラーシーツでない場合にも本発明の例示的実施形態は適用可能である。
【００４５】
例えば、従来の公知方法に基づいて製造した一側面に入射側レンチキュラーレンズのみを備えたレンチキュラーレンズシーツ（以下、‘単一レンチキュラーレンズシーツ’と称する。）を用意する。該単一レンチキュラーレンズシーツの入射側レンチキュラーレンズが備えられた一側面の反対側面に感光層を積層させる。次に、光を感光層の一部に走査した後、走査した部分を除去することで、反射防止層を形成する。
【００４６】
本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【図面の簡単な説明】
【００４７】
【図１Ａ】従来のＣＲＴ映像投射装置のスクリーンに使用されるスクリーン１００を示す概略構成図である。
【図１Ｂ】従来の反射防止層の備えられたレンチキュラーレンズシーツを通過する光の経路を示す図である。
【図２Ａ】本発明の一実施形態によるレンチキュラーレンズシーツの製造過程を示す例示図である。
【図２Ｂ】本発明の一実施形態によるレンチキュラーレンズシーツの製造過程を示す例示図である。
【図２Ｃ】本発明の一実施形態によるレンチキュラーレンズシーツの製造過程を示す例示図である。
【図２Ｄ】本発明の一実施形態によるレンチキュラーレンズシーツの製造過程を示す例示図である。
【図３】本発明の例示的実施形態によるレンチキュラーレンズシーツの製造過程を示すフローチャートである。
【符号の説明】
【００４８】
１００    スクリーン
１０１    フレネルレンズシーツ
１０３    レンチキュラーレンズシーツ
１０３ａ、２０３ａ  入射側レンズ
１０３ｂ、２０３ｂ  出射側レンズ
１０３ｃ、２０３ｃ  反射防止層
１０５    保護シーツ
１０７    観察者
２０３ｄ  レンチキュラー基材
【図１Ａ】
2006133760.tif 000003
【図１Ｂ】
2006133760.tif 000004
【図２Ａ】
2006133760.tif 000005
【図２Ｂ】
2006133760.tif 000006
【図２Ｃ】
2006133760.tif 000007
【図２Ｄ】
2006133760.tif 000008
【図３】
2006133760.tif 000009